(57)【要約】【課題】高エネルギー加速器で、陽子と陽子を衝突させたときどのようになるか。【解決手段】陽子のラブの軌道エネルギーは8.665×10−24Jmです。電磁気の軌道エネルギーは1.233×10−41Jmです。電磁気の軌道のエネルギーは弱いので、陽子と陽子が衝突するとその衝撃により電磁気は軌道から離れる。この事により、電磁気は放出する。クオークもこの中の１つです。陽子のラブの公転軌道には、（陽子のラブ＋1.486×10-10Jの電磁気の束）が残る。残った（陽子のラブ＋1.486×10-10Jの電磁気の束）は自転しながら公転する事によって、再び電磁気を作り、陽子に成る。【選択図】図１
2020184130.tif 000002
【特許請求の範囲】
【請求項１】
どうして高エネルギー加速器で、陽子と陽子を衝突させたとき、陽子の公転軌道の中の電磁気が放出するのか。
陽子のラブの軌道エネルギーと電磁気の軌道エネルギーについて。
陽子のラブの軌道エネルギーは8.665×10−24Jmです。電磁気の軌道エネルギーは1.233×10−41Jmです。
電磁気の軌道エネルギーは小さい。ラブの公転軌道エネルギーの、1.233×10−41Jm÷(8.665×10−24Jm)＝1.423×10−18倍です。
ラブの公転軌道エネルギーは大きい。電磁気の軌道エネルギーの、8.665×10−24Jm÷(1.233×10−41Jm)＝7.028×1017倍です。
それで、高エネルギー加速器で、陽子と陽子を衝突させたとき、その衝撃により、低エネルギーである電磁気はその軌道を離れやすい。それで、陽子の中の電磁気が放出する。
【請求項２】
高エネルギー加速器で、陽子と陽子を衝突させたときどのようになるか。
この事により、電磁気の軌道は、衝撃を受ける事により、すぐ解体する事が理解できる。
ラブは、衝撃を受けても壊れない。
ラブはビッグバンのエネルギーを乗り越えてきたものであるから、解体することはない。
ビッグバンのエネルギーは、A＝1030のエネルギーであるから、ラブは高エネルギー加速器で衝突する、A＝(3×108)2＝9×1016のエネルギーでは解体しない。
陽子のラブは永遠に存在する。
高エネルギー加速器で、陽子と陽子を衝突させたとき、陽子のラブは存在し続ける。
【請求項３】
高エネルギー加速器で、陽子と陽子を衝突させたとき解体して放出した物はなにか。
高エネルギー加速器で、陽子と陽子を衝突させたとき解体して放出した物は、軌道エネルギーが小さい電磁気の軌道に居た電磁気達です。
即ち、「背景技術」に記し、特願2017−199395に記した、
１０    １束の電磁気数が1000個分ですと、そのエネルギーは2.139×10-25J で軌道は5.764×10-17m     
１１    １束の電磁気数が106個分ですと、そのエネルギーは2.139×10-22J で軌道は5.764×10-20m    
１２    １束の電磁気数が109個分ですと、そのエネルギーは2.139×10-19J で軌道は5.764×10-23m    
１３    １束の電磁気数が1012個分ですと、そのエネルギーは2.139×10-16J で軌道は5.764×10-26m    
１４    １束の電磁気数が1015個分ですと、そのエネルギーは2.139×10-13J で軌道は5.764×10-29m    
１５    クオークは、1.7MeVのuクオークと3.1MeVのuクオークと5.7MeVのdクオークとする。    
１６    1.7MeVのuクオークのエネルギーは2.723×10-13Jで軌道は4.528×10-29m    
１７    3.1MeVのuクオークのエネルギーは4.966×10-13Jで軌道は2.482×10-29m    
１８    5.7MeVのdクオークのエネルギーは9.131×10-13Jで軌道は1.350×10-29m    等です。
【請求項４】
ラブはどのようになったか。
ラブはそのままの状態で残る。即ち、（陽子のラブ＋1.486×10-10Jの電磁気の束）と成って残る。
ラブは残り、自分の仕事をする。自転しながら磁気の光子を作り、公転しながら電気の光子を作る。作った電磁気は電磁気の軌道に並ぶ。
この事により、陽子のラブは再び陽子に成る。陽子は陽子のラブ＋陽子のラブが作った電磁気＝陽子になる。
【請求項５】
高エネルギー加速器で、陽子と陽子を衝突させたときの前の状態と後の状態で変化した事は何か。
高エネルギー加速器で、陽子と陽子を衝突させたとき、陽子の中の低エネルギーの電磁気の軌道の電磁気が放出した。
その後、残った陽子のラブは電磁気を作り、再び陽子にさせた。
それで、高エネルギー加速器で、陽子と陽子を衝突させたときの前の状態と後の状態は2個の陽子である。
但し高エネルギー加速器で、陽子と陽子を衝突させたとき、その衝撃により、陽子の電磁気は軌道から離れる。この事により、電磁気は放出する。
【発明の詳細な説明】
【技術分野】
【０００１】
本発明は、高エネルギー加速器で、陽子と陽子を衝突させたときどのようになるか、に関するものである。
【背景技術】
【０００２】
私は、2017年9月の日本天文学会で次のように発表した。これは、2017年６月19日に提出した、特願2017−199395の「請求項10」に記した。
タイトル「陽子のクオークのエネルギーは、陽子の質量エネルギーのおよそ1パーセントによりならないのはなぜか。高エネルギー加速器で得られた電磁気の束は、陽子の中で、どのような状態であったか」    
陽子のクオークを、1.7MeVのuクオークと3.1MeVのuクオークと5.7MeVのdクオークとする。
陽子のラブの質量エネルギー＝陽子の中の他の電磁気の束のエネルギー＋1.7MeV＋3.1MeV＋5.7MeV
陽子の中の他の電磁気の束のエネルギー＝陽子のラブの質量エネルギー -（1.7MeV＋3.1MeV＋5.7MeV）＝938.272MeV -（10.5MeV）＝927.772MeV    927.772  MeV＝927.772×1.602×10-13J＝1.486×10-10J
陽子の中の他の電磁気の束のエネルギーは合計で、1.486×10-10J です。陽子の中の他の電磁気の束のエネルギーは1.486×10-10Jで、これを、陽子の中の最大エネルギーの電磁気の束と見做す。
○1.486×10-10Jの電磁気はどのようになったか。
1.486×10-10Jの電磁気の軌道は、1.233×10-41Jm÷（1.486×10-10J）＝8.297×10-32mです。
陽子のラブ大きさは、1.233×10-41Jm ÷（1.503×10-10J）＝ 8.204×10-32mで、1.486×10-10Jの電磁気の軌道は8.297×10-32mなので、1.486×10-10Jの電磁気は陽子のラブの周囲を回転し（陽子のラブ＋1.486×10-10Jの電磁気）と成り、放出する。陽子のラブの比重は、7.293×1066であるので、1.486×10-10Jの電磁気は、（陽子のラブ＋1.486×10-10Jの電磁気）と成り、陽子のラブと共に放出し、検出できない。
・素粒子の中のクオークや他の電磁気の束の回転は、素粒子の中の電磁気の軌道で行われる。図示する。
説明
１．    高エネルギー加速器で陽子と陽子を衝突させると電磁気の束がたくさん放出します。クオークも放出します。では、放出した電磁気の束は陽子の中でどのような状態だったのでしょうか。陽子の中のクオークや他の電磁気の束の回転を示す。
陽子のラブの質量エネルギーは938.272MeV＝938.272×1.602×10-13J＝1.503×10-10Jです。
クオークは、1.7MeVのuクオークと3.1MeVのuクオークと5.7MeVのdクオークとする。
陽子のラブの質量エネルギー＝陽子の中の他の電磁気のエネルギー＋1.7MeV＋3.1MeV＋5.7MeV
陽子の中の他の電磁気のエネルギー＝陽子のラブの質量エネルギー −（1.7MeV＋3.1MeV＋5.7MeV）＝938.272MeV − （10.5MeV）＝927.772MeV
927.772MeV＝927.772×1.602×10-13J＝1.486×10-10J
陽子の中の他の電磁気のエネルギーは合計で、1.486×10-10J です。
陽子のラブの質量エネルギーは、938.272MeV＝938.272×1.602×10-13J＝1.503×10-10J、です。
陽子のラブの大きさは、1.233×10-41Jm ÷（1.503×10-10J）＝8.204×10-32m、です。
陽子のラブの体積は、4/3×π（8.204×10-32m÷2）3＝4/3×π（4.102×10-32m）3＝4/3×π（69.022×10-96m3）=2.890×10-94m3、です。
陽子のラブの質量は、m＝E÷c2＝1.503×10-10J÷（9×1016）＝1.670×10-27（Kg）、です。
陽子のラブの比重は、比重＝質量÷体積＝1.670×10-27Kg÷（2.890×10-94m3）＝5.779×1066、です。
陽子のラブの公転軌道は、8.665×10-24Jm÷（1.503×10-10J）＝5.765×10-14m、です。
1公転でできる電磁気1個のエネルギーは、1.233×10-41Jm ÷（5.765×10-14m）＝2.139×10-28J、です。
陽子の中の電磁気数は、陽子のラブの質量エネルギー÷電磁気1個のエネルギー＝1.503×10-10J÷（2.139×10-28J）＝7.027×1017個、です。
それで、電磁気が1000個で1束に成るとすると、電磁気のエネルギーは、2.139×10-28J×1000＝2.139×10-25J、です。
2.139×10-25Jの電磁気の軌道は、1.233×10-41Jm÷（2.139×10-25J）＝5.764×10-17m、です。
2.139×10-25Jの電磁気が1000個で1束に成るとすると、電磁気のエネルギーは、2.139×10-25J×1000＝2.139×10-22J、です。
2.139×10-22Jの電磁気の軌道は、1.233×10-41Jm÷（2.139×10-22J）＝5.764×10-20m、です。
2.139×10-22Jの電磁気が1000個で1束に成るとすると、電磁気のエネルギーは、2.139×10-22J×1000＝2.139×10-19J、です。
2.139×10-19Jの電磁気の軌道は、1.233×10-41Jm÷（2.139×10-19J）＝5.764×10-23m、です。
2.139×10-19Jの電磁気が1000個で1束に成るとすると、電磁気のエネルギーは、2.139×10-19J×1000＝2.139×10-16J、です。
2.139×10-16Jの電磁気の軌道は、1.233×10-41Jm÷（2.139×10-16J）＝5.764×10-26m、です。
2.139×10-16Jの電磁気が1000個で1束に成るとすると、電磁気のエネルギーは、2.139×10-16J×1000＝2.139×10-13J、です。
2.139×10-13Jの電磁気の軌道は、1.233×10-41Jm÷（2.139×10-13J）＝5.764×10-29m、です。
1.7MeVのuクオークの軌道は、1.233×10-41Jm÷（1.7×1.602×10-13J）＝1.233×10-41Jm÷（2.723×10-13J）＝4.528×10-29m、です。
3.1MeVのuクオークの軌道は、1.233×10-41Jm÷（3.1×1.602×10-13J）＝1.233×10-41Jm÷（4.966×10-13J）＝2.482×10-29m、です。
5.7MeVのdクオークの軌道は、1.233×10-41Jm÷（5.7×1.602×10-13J）＝1.233×10-41Jm÷（9.131×10-13J）＝1.350×10-29m、です。
２．  素粒子の中の他の電磁気のエネルギー≒素粒子の中の最大エネルギーの電磁気の束
陽子の中の他の電磁気の束のエネルギーは1.486×10-10Jで、これを、陽子の中の最大エネルギーの電磁気の束と見做す。
○1.486×10-10Jの電磁気の束はどのようになったか。
1.486×10-10Jの電磁気の束の軌道は、1.233×10-41Jm÷（1.486×10-10J）＝8.297×10-32m、です。
陽子のラブ大きさは 8.204×10-32mで、1.486×10-10Jの電磁気の束の軌道は8.297×10-32mなので、1.486×10-10Jの電磁気の束は陽子のラブの周囲を回転し（陽子のラブ＋1.486×10-10Jの電磁気の束）と成り、放出する。
陽子のラブの比重は、7.293×1066であるので、1.486×10-10Jの電磁気の束は、（陽子のラブ＋1.486×10-10Jの電磁気の束）と成り、陽子のラブと共に放出し、検出できない。
それで、陽子のクオークのエネルギーは、陽子の質量エネルギーのおよそ1パーセントによりならない。
他の陽子の中の最大エネルギーである1.486×10-10Jの電磁気の束は、（陽子のラブ＋1.486×10-10Jの電磁気の束）と成り、陽子のラブと共に放出し、検出できない。
「符号の説明」
１    陽子のラブ      
２    陽子のラブの質量エネルギーは938.272MeV＝1.503×10-10J    
３    陽子のラブの大きさは8.204×10-32m    
４    陽子のラブの体積は2.890×10-94m3 
５    陽子のラブの質量は1.670×10-27Kg    
６    陽子のラブの比重は5.779×1066 
７    陽子のラブの公転軌道は5.765×10-14m    
８    1公転でできる電磁気1個のエネルギーは2.139×10-28J    
９    陽子の中の電磁気数は7.027×1017個    
１０    １束の電磁気数が1000個分ですと、そのエネルギーは2.139×10-25J で軌道は5.764×10-17m     
１１    １束の電磁気数が106個分ですと、そのエネルギーは2.139×10-22J で軌道は5.764×10-20m    
１２    １束の電磁気数が109個分ですと、そのエネルギーは2.139×10-19J で軌道は5.764×10-23m    
１３    １束の電磁気数が1012個分ですと、そのエネルギーは2.139×10-16J で軌道は5.764×10-26m    
１４    １束の電磁気数が1015個分ですと、そのエネルギーは2.139×10-13J で軌道は5.764×10-29m    
１５    クオークは、1.7MeVのuクオークと3.1MeVのuクオークと5.7MeVのdクオークとする。    
１６    1.7MeVのuクオークのエネルギーは2.723×10-13Jで軌道は4.528×10-29m    
１７    3.1MeVのuクオークのエネルギーは4.966×10-13Jで軌道は2.482×10-29m    
１８    5.7MeVのdクオークのエネルギーは9.131×10-13Jで軌道は1.350×10-29m    
１９    陽子の中の他の電磁気の束のエネルギーは1.486×10-10Jで、これを、素粒子の中の最大エネルギーの電磁気の束と見做す
２０    1.486×10-10Jの電磁気の束の軌道は8.297×10-32m    
２１    陽子のラブの大きさは8.204×10-32mであり、1.486×10-10Jの電磁気の束の軌道は8.297×10-32mですから、1.486×10-10Jの電磁気の束は陽子のラブの周囲を回転し、（陽子のラブ＋1.486×10-10Jの電磁気の束）と成り、放出する。
２２    陽子のラブの比重は、7.293×1066であるので、1.486×10-10Jの電磁気の束は、（陽子のラブ＋1.486×10-10Jの電磁気の束）と成り、陽子のラブと共に放出し、検出できない。
2020184130.tif 000003
この事に関しては、2017年６月19日に提出した、特願2017−199395に記した。
陽子については、「請求項10」に記した。
【先行技術文献】
【特許文献】
【０００３】
【特許文献１】特願2017−199395
【発明の概要】
【発明が解決しようとする課題】
【０００４】
高エネルギー加速器で、陽子と陽子を衝突させたときどのようになるか。
【課題を解決するための手段】
【０００５】
陽子には軌道が2種類ある。１つは陽子のラブが自転し公転する陽子のラブの軌道である。２つは電磁気が回転する電磁気の軌道である。
１．どうして高エネルギー加速器で、陽子と陽子を衝突させたとき、陽子の公転軌道の中の電磁気が放出するのか。
陽子のラブの軌道エネルギーと電磁気の軌道エネルギーについて。
陽子のラブの軌道エネルギーは8.665×10−24Jmです。電磁気の軌道エネルギーは1.233×10−41Jmです。
電磁気の軌道エネルギーは小さい。ラブの公転軌道エネルギーの、1.233×10−41Jm÷(8.665×10−24Jm)＝1.423×10−18倍です。
ラブの公転軌道エネルギーは大きい。電磁気の軌道エネルギーの、8.665×10−24Jm÷(1.233×10−41Jm)＝7.028×1017倍です。
それで、高エネルギー加速器で、陽子と陽子を衝突させたとき、軌道エネルギーの弱い電磁気の軌道は壊れ、電磁気が放出する。
2．  高エネルギー加速器で、陽子と陽子を衝突させたときどのようになるか。
この事により、電磁気の軌道は、衝撃を受ける事により、すぐ解体する事が理解できる。
ラブは、衝撃を受けても壊れない。
ラブはビッグバンのエネルギーを乗り越えてきたものであるから、解体することはない。
ビッグバンのエネルギーは、A＝1030のエネルギーであるから、ラブは高エネルギー加速器で衝突する、A＝(3×108)2＝9×1016のエネルギーでは解体しない。
3．高エネルギー加速器で、陽子と陽子を衝突させたとき解体して放出した物はなにか。
高エネルギー加速器で、陽子と陽子を衝突させたとき解体して放出した物は、軌道エネルギーが小さい電磁気の軌道に居た電磁気達です。
即ち、「背景技術」に記し、特願2017−199395に記した、
１０    １束の電磁気数が1000個分ですと、そのエネルギーは2.139×10-25J で軌道は5.764×10-17m     
１１    １束の電磁気数が106個分ですと、そのエネルギーは2.139×10-22J で軌道は5.764×10-20m    
１２    １束の電磁気数が109個分ですと、そのエネルギーは2.139×10-19J で軌道は5.764×10-23m    
１３    １束の電磁気数が1012個分ですと、そのエネルギーは2.139×10-16J で軌道は5.764×10-26m    
１４    １束の電磁気数が1015個分ですと、そのエネルギーは2.139×10-13J で軌道は5.764×10-29m    
１５    クオークは、1.7MeVのuクオークと3.1MeVのuクオークと5.7MeVのdクオークとする。    
１６    1.7MeVのuクオークのエネルギーは2.723×10-13Jで軌道は4.528×10-29m    
１７    3.1MeVのuクオークのエネルギーは4.966×10-13Jで軌道は2.482×10-29m    
１８    5.7MeVのdクオークのエネルギーは9.131×10-13Jで軌道は1.350×10-29m    等です。
4．ラブはどのようになったか。
ラブはそのままの状態で残る。即ち、（陽子のラブ＋1.486×10-10Jの電磁気の束）と成って残る。
ラブは残り、自分の仕事をする。自転しながら磁気の光子を作り、公転しながら電気の光子を作る。作った電磁気は電磁気の軌道に並ぶ。
この事により、陽子のラブは再び陽子に成る。陽子は陽子のラブ＋陽子のラブが作った電磁気＝陽子になる。
5．高エネルギー加速器で、陽子と陽子を衝突させたときの前の状態と後の状態で変化した事は何か。
高エネルギー加速器で、陽子と陽子を衝突させたとき、陽子の中の低エネルギーの電磁気の軌道の電磁気が放出した。
その後、残った陽子のラブは電磁気を作り、再び陽子にさせた。
それで、高エネルギー加速器で、陽子と陽子を衝突させたときの前の状態と後の状態は変化しなかった。
但し高エネルギー加速器で、陽子と陽子を衝突させたとき、その衝撃により、陽子の電磁気は軌道から離れる。この事により、電磁気は放出する。
【発明の効果】
【０００６】
高エネルギー加速器で、陽子と陽子を衝突させたとき、軌道エネルギーの弱い電磁気は離脱する。
陽子のラブは決して変化しないのだから、（陽子のラブ＋1.486×10-10Jの電磁気の束）はラブの軌道に残る。
しかし、（陽子のラブ＋1.486×10-10Jの電磁気の束）は発見できない。
どうしてか。
この理由は、（陽子のラブ＋1.486×10-10Jの電磁気の束)は、高エネルギー加速器の中に残っていて、公転軌道を回転しているからです。
もしくは、（陽子のラブ＋1.486×10-10Jの電磁気の束)は、高エネルギー加速器から放出し、陽子のラブは公転軌道を作り、そこを回転し、電磁気を作り、電磁気は電磁気の軌道を回転し、新しい陽子ができたからです。
【図面の簡単な説明】
【０００７】
【図１】図１は陽子のラブの軌道エネルギーは8.665×10−24Jmです。電磁気の軌道エネルギーは1.233×10−41Jmです。電磁気の軌道のエネルギーは弱いので、陽子と陽子が衝突する(5)とその衝撃により軌道から離れる(3)。この事により、電磁気は放出する。陽子のラブの公転軌道には、（陽子のラブ(1)＋1.486×10-10Jの電磁気の束(2)）が残る。残った（陽子のラブ＋1.486×10-10Jの電磁気の束）は自転しながら公転する事によって、電磁気を作り、再び陽子に成る。従って、高エネルギー加速器で、陽子と陽子を衝突させたとき、陽子の電磁気の軌道を回転する電磁気は放出し、残った（陽子のラブ＋1.486×10-10Jの電磁気の束）は自転しながら公転する事によって、再び電磁気(6)を作り、陽子に成る。
【発明を実施するための形態】
【０００８】
１．    どうして高エネルギー加速器で、陽子と陽子を衝突させたとき、陽子の公転軌道の中の電磁気が放出するのか。
陽子のラブの軌道エネルギーと電磁気の軌道エネルギーについて。
陽子のラブの軌道エネルギーは8.665×10−24Jmです。電磁気の軌道エネルギーは1.233×10−41Jmです。
電磁気の軌道エネルギーは小さい。ラブの公転軌道エネルギーの、1.233×10−41Jm÷(8.665×10−24Jm)＝1.423×10−18倍です。
ラブの公転軌道エネルギーは大きい。電磁気の軌道エネルギーの、8.665×10−24Jm÷(1.233×10−41Jm)＝7.028×1017倍です。
それで、高エネルギー加速器で、陽子と陽子を衝突させたとき、その衝撃により、低エネルギーである電磁気はその軌道を離れやすい。それで、陽子の中の電磁気が放出する。
２．    高エネルギー加速器で、陽子と陽子を衝突させたときどのようになるか。
この事により、電磁気の軌道は、衝撃を受ける事により、すぐ解体する事が理解できる。
ラブは、衝撃を受けても壊れない。
ラブはビッグバンのエネルギーを乗り越えてきたものであるから、解体することはない。
ビッグバンのエネルギーは、A＝1030のエネルギーであるから、ラブは高エネルギー加速器で衝突する、A＝(3×108)2＝9×1016のエネルギーでは解体しない。
陽子のラブは永遠に存在する。
高エネルギー加速器で、陽子と陽子を衝突させたとき、陽子のラブは存在し続ける。
３．    高エネルギー加速器で、陽子と陽子を衝突させたとき解体して放出した物はなにか。
高エネルギー加速器で、陽子と陽子を衝突させたとき解体して放出した物は、軌道エネルギーが小さい電磁気の軌道に居た電磁気達です。
即ち、「背景技術」に記し、特願2017−199395に記した、
１０    １束の電磁気数が1000個分ですと、そのエネルギーは2.139×10-25J で軌道は5.764×10-17m     
１１    １束の電磁気数が106個分ですと、そのエネルギーは2.139×10-22J で軌道は5.764×10-20m    
１２    １束の電磁気数が109個分ですと、そのエネルギーは2.139×10-19J で軌道は5.764×10-23m    
１３    １束の電磁気数が1012個分ですと、そのエネルギーは2.139×10-16J で軌道は5.764×10-26m    
１４    １束の電磁気数が1015個分ですと、そのエネルギーは2.139×10-13J で軌道は5.764×10-29m    
１５    クオークは、1.7MeVのuクオークと3.1MeVのuクオークと5.7MeVのdクオークとする。    
１６    1.7MeVのuクオークのエネルギーは2.723×10-13Jで軌道は4.528×10-29m    
１７    3.1MeVのuクオークのエネルギーは4.966×10-13Jで軌道は2.482×10-29m    
１８    5.7MeVのdクオークのエネルギーは9.131×10-13Jで軌道は1.350×10-29m    等です。
４．    ラブはどのようになったか。
ラブはそのままの状態で残る。即ち、（陽子のラブ＋1.486×10-10Jの電磁気の束）と成って残る。
ラブは残り、自分の仕事をする。自転しながら磁気の光子を作り、公転しながら電気の光子を作る。作った電磁気は電磁気の軌道に並ぶ。
この事により、陽子のラブは再び陽子に成る。陽子は陽子のラブ＋陽子のラブが作った電磁気＝陽子になる。
５．    高エネルギー加速器で、陽子と陽子を衝突させたときの前の状態と後の状態で変化した事は何か。
高エネルギー加速器で、陽子と陽子を衝突させたとき、陽子の中の低エネルギーの電磁気の軌道の電磁気が放出した。
その後、残った陽子のラブは電磁気を作り、再び陽子にさせた。
それで、高エネルギー加速器で、陽子と陽子を衝突させたときの前の状態と後の状態は2個の陽子である。
但し高エネルギー加速器で、陽子と陽子を衝突させたとき、その衝撃により、陽子の電磁気は軌道から離れる。この事により、電磁気は放出する。
【産業上の利用可能性】
【０００９】
素粒子を知る事は産業の発展に寄与する。
【符号の説明】
【００１０】
１    陽子のラブ
２    1.486×10-10Jの電磁気
３    放出する電磁気
４    陽子のラブの公転軌道
５    高エネルギー加速器で、陽子と陽子を衝突させる
６    残った（陽子のラブ＋1.486×10-10Jの電磁気の束）は自転しながら公転する事によって、再び電磁気を作り陽子に成る
【図１】
2020184130.tif 000004
【手続補正書】
【提出日】令和2年6月4日(2020.6.4)
【手続補正１】
【補正対象書類名】図面
【補正対象項目名】全図
【補正方法】変更
【補正の内容】
【図１】
2020184130.tif 000005